(57)【要約】【課題】スパッタ装置やＣＶＤ装置のような高コストでかつ大掛かりな装置を必要とせずに、画素毎の色情報のコントロールが容易にでき、大型の造形物にも展開可能な構造色を用いた情報・画像記録方法及び記録媒体を提供する。【解決手段】チタンサファイアレーザ３０１からの出射光をビームスプリッタ３０７により２光束に分割し、該２光束の少なくとも１光束の位相をピエゾステージ３２０で変化させた後に、集光させた２光束の干渉による干渉縞の間隔を前記２光束の波長と独立して設定し、該干渉縞に基づいて縞状構造体を形成する。【選択図】図３
2008096648.tif 000002
【特許請求の範囲】
【請求項１】
コヒーレント光を２光束に分割し、前記２光束の少なくとも１光束の位相を変化させた後に集光させた２光束の干渉による干渉縞の間隔が前記２光束の波長と独立して設定され、前記干渉縞に基づいて形成されたことを特徴とする縞状構造体。
【請求項２】
前記コヒーレント光として、パルスレーザ光を用いたことを特徴とする請求項１記載の縞状構造体。
【請求項３】
前記コヒーレント光により、２光子吸収を含む多光子吸収させることを特徴とする請求項１又は２記載の縞状構造体。
【請求項４】
前記２光束を、別個に走査することにより、アレイ状に構成されたことを特徴とする請求項１から３のいずれか１項に記載の縞状構造体。
【請求項５】
前記２光束の収束部位にあるように走査させることにより、３次元状に形成することを特徴とする請求項１から４のいずれか１項に記載の縞状構造体。
【請求項６】
前記縞状構造体の各縞ごとに、変化させることを特徴とする請求項１から５のいずれか１項に記載の縞状構造体。
【請求項７】
前記縞状構造体の各縞により、構造色を呈することを特徴とする請求項１から６のいずれか１項に記載の縞状構造体。
【請求項８】
コヒーレント光を２光束に分割し、前記２光束の少なくとも１光束の位相を変化させ、前記２光束の少なくとも１光束の位相を変化させた変調光束と他の光束とを集光させて２光束により縞状分布の干渉光を前記２光束の波長間隔と独立して設定し、前記設定した縞状分布の光を照射することを特徴とする縞状構造体の形成方法。
【請求項９】
前記コヒーレント光として、パルスレーザ光を用いることを特徴とする請求項８記載の縞状構造体の形成方法。
【請求項１０】
前記コヒーレント光により、２光子吸収を含む多光子吸収させることを特徴とする請求項８又は９記載の縞状構造体の形成方法。
【請求項１１】
前記２光束を、独立して走査することを特徴とする請求項８から１０のいずれか１項に記載の縞状構造体の形成方法。
【請求項１２】
前記２光束の収束部位にあるように走査させることにより、３次元状に形成することを特徴とする請求項８から１１のいずれか１項に記載の縞状構造体の形成方法。
【請求項１３】
前記縞状構造体の各縞を変化させて形成することを特徴とする請求項８から１２のいずれか１項に記載の縞状構造体の形成方法。
【請求項１４】
請求項８から１３のいずれか１項に記載の縞状構造体の形成方法を使用して、情報を記録することを特徴とする情報記録方法。
【請求項１５】
請求項８から１３のいずれか１項に記載の縞状構造体の形成方法を用いた後に、定着工程を設けたことを特徴とする情報記録方法。
【請求項１６】
請求項１から７のいずれか１項に記載の縞状構造体を有する記録層と支持層の少なくとも２層以上の多層構造より構成されることを特徴とする情報記録媒体。
【請求項１７】
少なくともコヒーレント光を出射する光源と、前記光源からのコヒーレント光を光束に分割する分割手段と、前記分割された分割光の少なくとも１つの光束の位相を変化させる光束変調手段と、前記光束変調手段からの変調光束と前記分割手段により分割された未変調光束とを収束させて縞状分布の分散光を生成する生成手段と、前記分散光内で走査して縞状構造体を形成する走査手段とを有することを特徴とする縞状構造体製造装置。
【発明の詳細な説明】
【技術分野】
【０００１】
本発明は、縞状構造体、その形成方法、情報記録方法、情報記録媒体、及び縞状構造体製造装置に関し、特に、構造色による発色を利用した情報記録法及び情報記録媒体等の発明に関する。
【背景技術】
【０００２】
今日のような情報デジタル化の時代において、最も基本的なメディアとして、画像あるいは文字による情報を多種多様な印刷物により表現したメディアが存在し、また、このような表現形態による情報の流通及び蓄積が情報化社会を支えている。このような情報は、これまで主に、染料や顔料を溶解または分散させたインキ、ペイントあるいはトナー等を用いて印刷され表現されていた。このうち染料を用いた印刷媒体においては、鮮やかな発色や混色の自由度などのメリットがある反面、紫外線やオゾン等による退色の影響が避けられない等のデメリットも大きかった。他方、顔料を用いた場合には、基本的にはその顔料の微粒子状での散乱で使われることが多く、退色性に優れる反面、発色の鮮やかさや混色による中間色の表現等に難点がある。
【０００３】
発色のもう一つの原理として、蝶の鱗粉の発色等、生物の世界で発見された構造色という発色原理がある。この原理では光学素子のグレーティング（回折格子）に見られるような従来から知られた周期構造による多層干渉によって着色して見えるが、広がりのある膜の周期構造では、見る角度により色合いが大きく変化する。すなわち、ある角度から見ると青色だが、別の角度から見ると黄色、赤などの色違いのものとなり、色彩が表現されるものとなる。しかし、現実的には、このような蝶の鱗粉等に見られるような、膜の周期構造のような色合いの変化のない本原理に基づいてなされている人工的なものは少ない。この発色の原理が、構造色と呼ばれる細分化された周期構造（すなわち材料の光の吸収によって生じるかあるいは派生する色彩、あるいは単純な回折格子のような干渉に依るが見る角度（あるいは反射の角度）が異なると特定波長の異なる反射に基づく干渉光以外の干渉光）によることが明らかにされている。そしてこのような蝶に見られる構造色は、前述の微細構造と微細構造に光が導かれる透明度が維持される限り、退色することはないと考えられている。
【０００４】
従来では、このような構造色を、人工的に発現させる方法として、屈折率の異なるＴｉＯ2とＳｉＯ2とを、凹凸のある基板上に成膜することによって、面方向には一様でない周期構造が作成され、青色の発色が確認されることが知られている（例えば非特許文献１参照）。また、この非特許文献１には、鱗粉の形状を模した炭素の構造体が、収束イオンビームＣＶＤにより作成され、同様に、青色の発色も確認されている。この他、波長程度の周期性に着目し、光の波長程度の粒径を持った、ＳｉＯ2等の微粒子をフィルム上に配列した構造が開示されている。この構造によっても構造色が発現するとされている方法が提案されている（例えば特許文献１参照）。
【特許文献１】特開２００４−２７６４９２号公報
【非特許文献１】日経サイエンス２００５年１月号Ｐ１４０
【発明の開示】
【発明が解決しようとする課題】
【０００５】
しかしながら、非特許文献１では、従来から知られている一様な多層膜による多層干渉にはない角度に依存しない発色を示したが、ＴｉＯ2とＳｉＯ2の多層膜はスパッタ成膜により成膜されており、プロセスが高コストであること、また、一様なものはできても、画像情報等の記録に用いることは難しい。また、非特許文献１には、蝶の鱗粉を模した立体的な構造を作っていることの記載が見られるが、集束イオンビームＣＶＤを用いた高コストなプロセスで形成されたものであり、コストの面からもこの方法により作成されたものは実用的でない（非特許文献の１４２ページ参照）。
【０００６】
他方、特許文献１では、波長程度の粒径の単一分散微粒子を立体的に配列している偏光光学素子の発明が記載されている。このような偏光光学素子を粒子として使用することを考えた場合にこの粒子は、条件がそろえば比較的容易に自己組織化により配列することが知られており、また、粒子もコストダウンが進んでいる。しかし、色を変えるには粒径を変えなければならないこと、また、グラデーションも含め画像等の情報を記録するためには、画素を構成するエリアごとに異なる粒径の粒子を配置し、さらに欠陥なく自己組織化し配列することが必要となると考えられる。したがって、欠陥のない高品位な情報として記録したり、あるいは表現することは難しいという問題もある。
【０００７】
本発明は、上述した実情を考慮してなされたもので、スパッタ装置やＣＶＤ装置のような高コストでかつ大掛かりな装置を必要とせずに、画素毎の色情報のコントロールが容易にでき、大型の造形物にも展開可能な構造色を用いた情報・画像記録方法及び記録媒体を提供することを目的としている。
【課題を解決するための手段】
【０００８】
上記の課題を解決するために、請求項１に記載の発明は、縞状構造体において、コヒーレント光を２光束に分割し、前記２光束の少なくとも１光束の位相を変化させた後に集光させた２光束の干渉による干渉縞の間隔が前記２光束の波長と独立して設定され、前記干渉縞に基づいて形成されたことを特徴とする。
【０００９】
また、請求項２に記載の発明は、請求項１記載の縞状構造体において、前記コヒーレント光として、パルスレーザ光を用いたことを特徴とする。
【００１０】
また、請求項３に記載の発明は、請求項１又は２記載の縞状構造体において、前記コヒーレント光により、２光子吸収を含む多光子吸収させることを特徴とする。
【００１１】
また、請求項４に記載の発明は、請求項１から３のいずれか１項に記載の縞状構造体において、前記２光束を、別個に走査することにより、アレイ状に構成されたことを特徴とする。
【００１２】
また、請求項５に記載の発明は、請求項１から４のいずれか１項に記載の縞状構造体において、前記２光束の収束部位にあるように走査させることにより、３次元状に形成することを特徴とする。
【００１３】
また、請求項６に記載の発明は、請求項１から５のいずれか１項に記載の縞状構造体において、前記縞状構造体の各縞ごとに、変化させることを特徴とする。
【００１４】
また、請求項７に記載の発明は、請求項１から６のいずれか１項に記載の縞状構造体において、前記縞状構造体の各縞により、構造色を呈することを特徴とする。
【００１５】
また、請求項８に記載の発明は、縞状構造体の形成方法において、コヒーレント光を２光束に分割し、前記２光束の少なくとも１光束の位相を変化させ、前記２光束の少なくとも１光束の位相を変化させた変調光束と他の光束とを集光させて２光束により縞状分布の干渉光を前記２光束の波長間隔と独立して設定し、前記設定した縞状分布の光を照射することを特徴とする。
【００１６】
また、請求項９に記載の発明は、請求項８記載の縞状構造体の形成方法において、前記コヒーレント光として、パルスレーザ光を用いることを特徴とする。
【００１７】
また、請求項１０に記載の発明は、請求項８又は９記載の縞状構造体の形成方法において、前記コヒーレント光により、２光子吸収を含む多光子吸収させることを特徴とする。
【００１８】
また、請求項１１に記載の発明は、請求項８から１０のいずれか１項に記載の縞状構造体の形成方法において、前記２光束を、独立して走査することを特徴とする。
【００１９】
また、請求項１２に記載の発明は、請求項８から１１のいずれか１項に記載の縞状構造体の形成方法において、前記２光束の収束部位にあるように走査させることにより、３次元状に形成することを特徴とする。
【００２０】
また、請求項１３に記載の発明は、請求項８から１２のいずれか１項に記載の縞状構造体の形成方法において、前記縞状構造体の各縞を変化させて形成することを特徴とする。
【００２１】
また、請求項１４に記載の発明は、情報記録方法において、請求項８から１３のいずれか１項に記載の縞状構造体の形成方法を使用して、情報を記録することを特徴とする。
【００２２】
また、請求項１５に記載の発明は、情報記録方法において、請求項８から１３のいずれか１項に記載の縞状構造体の形成方法を用いた後に、定着工程を設けたことを特徴とする。
【００２３】
また、請求項１６に記載の発明は、情報記録方法において、請求項１から７のいずれか１項に記載の縞状構造体を有する記録層と支持層の少なくとも２層以上の多層構造より構成されることを特徴とする。
【００２４】
また、請求項１７に記載の発明は、縞状構造体製造装置において、少なくともコヒーレント光を出射する光源と、前記光源からのコヒーレント光を光束に分割する分割手段と、前記分割された分割光の少なくとも１つの光束の位相を変化させる光束変調手段と、前記光束変調手段からの変調光束と前記分割手段により分割された未変調光束とを収束させて縞状分布の分散光を生成する生成手段と、前記分散光内で走査して縞状構造体を形成する走査手段とを有することを特徴とする。
【発明の効果】
【００２５】
本発明によれば、スパッタ装置やＣＶＤ装置のような高コストでかつ大掛かりな装置を必要とせずに、画素毎の色情報のコントロールが容易にでき、大型の造形物にも展開可能な構造色を用いた情報・画像記録方法及び記録媒体が実現される。
【発明を実施するための最良の形態】
【００２６】
以下、図面を参照して、本発明の実施形態における縞状構造体、その製造方法、情報記録方法、情報記録媒体、及び縞状構造体製造装置について、詳細に説明する。
【００２７】
（１）縞状構造体、その製法、及び縞状構造体製造装置（請求項１、８及び１７に対応）
光源からの照射光を２つの光束に分割し、縞状分布を作る光反応法により、２つの光束の少なくとも一方の光束の位相を変えて露光する際に、前記２つの光束を干渉させることにより生じる干渉縞によって、該構造の縞間隔を光源波長と異なるように設定する。これによって、縞状分布に沿って縞状構造体が得られる。
【００２８】
図１に、本実施形態の縞状構造体のための１光子吸収による書き込み概念図を示し、図３に、その構造体を作成するための書き込み光学系（縞状構造体製造装置）の構成を示す。
【００２９】
光源からの出射光を２つに分割した後にこれらの２分割光を干渉させると干渉縞が生じる。図１（ａ）は図３に示すミラー３１０とプリズム３１８からのそれぞれの光束を、互いに反対方向から、それぞれ光束を同光軸上に配置した２つのレンズ３１１、３１３により集光して紫外線硬化樹脂層に入射した結果生じた縞模様の例を示す図である。この例では、２つのレンズ３１１、３１３の焦点が等しくなるよう調整されている場合の干渉縞を示している。干渉縞の位置は、いずれか一方の（両方動かしてもよい）光路長を、オプティカルディレイ（例えばＥＯ素子等の遅延素子）等を用いて変更することにより、２つの光束の位相が変わってそれぞれの光束が干渉する結果、縞が形成される。
【００３０】
図１（ｂ）は、各点（紙面上下方向）の光強度を光軸に沿って模式的に示している。この書き込み光で露光した場合には、周期構造が図１（ｃ）に示すように縞状構造体が形成される。この縞状構造体の周期は干渉縞の周期に等しく、焦点（この例ではレンズ３１１と３１３との中間（レンズ３１１の位置と３１３の位置の中点））から外れるに従って徐々に減衰している。次に、いずれか一方の書き込み光の位相が半周期変わるよう変更し、多重露光した場合を図１（ｄ）に示す。谷の部分を埋めるように反応が進み、図に示す例では２倍周期の構造物（前記周期の２倍）が形成される。このように、露光ごとに光路長を変え、位相を変えることにより、光源波長とは独立した周期構造が、露光量を加減あるいは調整することにより可能となる。
【００３１】
本実施形態の縞状構造体は、光源からの出射光を２光束に分割し、分割された２光束の少なくとも１光束の位相を変化させた後にこれら２光束を再び集光し干渉させて形成した干渉縞の間隔が光源からの出射光波長と独立して設定され、この干渉縞に基づいて縞状構造体が形成される。縞状構造体の前駆体として、例えば紫外線硬化性樹脂、フォトレジスト材等の感光材料を用い、これらを膜状あるいは層状に形成したものを使用することができる。なお、これら感光材料に露光後、露光部あるいは非露光部を、溶剤等を用いて除去することにより、露光部または非露光部が除去されて縞状構造体が形成される。
【００３２】
（２）縞状構造体及びその製法（請求項２、９に対応）
光源として、パルスレーザを用いた場合には、上記（１）のメリットに加えて、大きなエネルギーを加えることが可能となり、より精密あるいは微細な構造を構成することが可能となる。
【００３３】
（３）縞状構造体及びその製法（請求項３、１０に対応）
例えば光源としてコヒーレント光を用い、２光子吸収を含む多光子吸収による反応により起こる光反応を適用した場合には、多光子吸収の特徴が、光量が増大するに伴い非線形に反応確率が増大する。このような非線形の光吸収反応は、パルスレーザのような、ピークパワーの著しく高い光源を用いて露光することにより得ることができる。図２は、このような２光子吸収を含む多光子吸収による感光反応（硬化反応または重合反応を含む）により、縞状構造体を形成する場合の縞の分散光の例を示す図であり、（ａ）は互いに反対方向からの光束を同光軸上に配置した２つのレンズにより集光した結果生じる縞模様の例を示す図であり、（ｂ）は縞模様に分布した光強度を光軸に沿って模式的に示す図であり、（ｃ）は（ｂ）に示す書き込み光で露光した場合の周期構造である縞状構造体が形成される例を示す図であり、（ｄ）はいずれか一方の書き込み光（一方の光束）の位相が半周期変わるよう変更して多重露光した場合を示す摸式図である。
【００３４】
干渉により生じる光軸方向の書き込み光の強度変化を示すと図２（ｂ）の模式的なようになる。これにより2光子吸収反応により構成される構造物は図２（ｃ）のように1光子に比較し幅の狭いものとなる（先の述べた非線形性のため、光強度が下がると急激に反応は進まなくなる）。これを、上記（１）に記載した説明と同様に、光路長を変えることにより２分割した出射光の位相関係を変え露光を変えると、例えば図２（ｄ）のような波長周期を超え、より微細な周期構造が記録される。
【００３５】
光反応（光重合反応）が２光子吸収を含む多光子吸収により起こる光反応法であるので、１光子での吸収がないために、厚みを持った反応物の任意の位置に周期構造を構成可能である。しかも、反応はピークパワーの高い部位のみで起こるため、波長の周期を超える微細な周期構造が書き込み可能である。したがって、位相を変えて多重露光をすることにより、より精密な記録波長を超えた任意の周期の微細周期構造が書き込み可能となる。
【００３６】
（４）縞状構造体及びその製法（請求項４、１１に対応）
２つに分割した光源からの光束を照射する位置を相対的に走査して、アレイ状に縞状構造体を形成する。そのアレイ状に形成した縞状構造体の一例、及びそれを情報記録体とした例である。
【００３７】
アレイ状に形成する場合に光源を走査し、あるいは光源からの光束を走査してもよく、また縞状構造体あるいは記録体（反応体）と書き込み光源からの光束との相対的運動が加わって縞状構造体の前駆体である紫外線硬化性樹脂、フォトレジスト材等の光感光性材料を用いた膜あるいは層に形成したものに照射すればよく、光路を固定し形成しようとする縞状構造体あるいは記録体（反応体）を移動させる構成にすることも本発明に含まれる。
【００３８】
（５）縞状構造体及びその製法（請求項５、１２に対応）
上記（４）の場合に、光束の走査の際、縞状構造体あるいは記録体（反応体）の面方向と垂直な方向に変位させることにより、隣接する縞部が同一平面状にない縞状構造体あるいは記録体（記録媒体）とすることもできる。また、隣接する周期構造が独立し、多層膜と異なる面の広がりを有する周期構造が提供可能となり、このような周期構造の縞状構造体あるいは記録体（反応体）を提供可能である。
【００３９】
（６）縞状構造体及びその製法（請求項６、１３に対応）
前記（４）〜（５）において、光照射による多重露光する際の位相の変更幅を各縞ごとに適宜変えて、縞状構造体あるいはこのような縞状構造体を有する記録体（記録媒体）を形成するようにすることができる。このようにすると、上記（５）のメリットに加え、限られた面積（エリア）の中に多様な機能を持った周期構造を形成することが可能となる。
【００４０】
（７）縞状構造体（請求項７に対応）
光反応（光重合反応）による反応物（記録媒体）は、光硬化性樹脂による硬化部位が３次元空間内にその分散光の強度に依存して硬化（重合）するため、この分散光の強度分布に依存して光硬化性樹脂が硬化して構造色を呈する光反応物（光硬化体）が形成され、これにより縞状構造体あるいはこのような縞状構造体を有する記録体(反応体)が形成される。この構造色とは、従来から知られている薄膜の周期構造による反射光に基づく発色をすることであり、本発明の構成によるように、互いに独立した離散的な周期構造によって反射されてもたらされる干渉による発色を意味している。
【００４１】
（８）情報記録方法（請求項１４に対応）
前述した構造色により情報が記録された記録媒体及び情報記録方法では、画像や文字のような情報に限らず、吸収若しくは反射スペクトルによる周期構造ごとの多値情報も含んでよいものである。このような媒体に記録された情報の読み出し法は、ビームスキャンに限らず、ＣＣＤ等による2次元分布の解析を行うことによってもよい。構造色により情報が記録された記録媒体及び情報記録方法であるので、多様な表現が可能となるとともに、これまでの情報メディアにはない長期的な耐候性を有する性能が付与される。
【００４２】
（９）情報記録媒体（請求項１６に対応）
媒体が記録層と支持層の少なくとも２層以上の多層構造より構成される記録媒体、及びこのような媒体を用いて情報を記録する方法によって、上記（８）のメリットの他に、従来の紙媒体と同様の取り扱いもできるため、ユーザフレンドリーな地球環境にもやさしい媒体の提供が可能となる。
【００４３】
（１０）情報記録方法（請求項１５に対応）
光反応（光重合反応）後に定着工程を設けたことを特徴とする情報の記録方法によれば、定着工程には、光反応による縞状構造を保存する目的で、それ以上変化を防止する目的で行う全ての手段を含みうる。例えば、光反応により硬化した部分以外を洗い流すことも、この範疇であることはいうまでもない。本発明は前記光反応後に定着工程を設けたことを特徴とする光反応及びその反応物を含むので、記録層の材料にフォトポリマー、紫外線硬化樹脂等、様々な材料が適用可能となるとともに、感度と記録内容の長期安定性という相反する条件が両立可能となる。
【００４４】
特に上記（１０）において、光反応工程終了後に一括して定着すると、低コストなプロセスの提供が可能となる。また、定着工程が光照射して硬化した後に適宜行われるようにすると、材料を適宜選択して、追記型の記録媒体等の構築が可能となる。
【００４５】
以下、本実施形態について実施例により、さらに詳説するが、本発明は、下記の実施例に拘束されて解釈されるものではなく、本発明は、明細書、図面に開示した範囲等に基づいて解釈される。
【実施例】
【００４６】
本実施例では、２光子吸収反応によりカバーグラス上にスピンコートした紫外線硬化樹脂に構造色を呈する構造を書き込む構造色記録システムの一例を示す。書き込み装置（縞状構造体製造装置）について、図３を用いて説明する。書き込み用光源には、チタンサファイアレーザ３０１（スペクトラフィジックス社製、ＭａｉＴａｉ）を用い、８００ｍｍで書き込んだ。光軸に沿って説明すると、コンピュータ３１６によりコントローラ電源３０３を介して制御された電子制御シャッタ３０２によりＯＮ／ＯＦＦされ、凸レンズ３０４、３０６及びピンホール３０５よりなるスペーシャルフィルタを通過後、ビームスプリッタ３０７により２つの光束に分離される。一方は（今後光束１と呼ぶ）、プリズム３０８により構成されるオプティカルディレイを通過後、全反射ミラー３０９、３１０により対物レンズ３１１に導かれる。
【００４７】
もう一方の光束（今後光束２と呼ぶ）は、全反射ミラー３１７でオプティカルディレイを構成するプリズム３１８に導かれる。プリズム３１８は、ホルダ３１９を介してコンピュータ３１６でコントロールされたピエゾステージ３２０に保持されている。結果として、光束２の光路長をコンピュータコントロールされたピエゾステージにより制御することにより光束間の位相を制御する。プリズム３１８を通過後、対物レンズ３１３で集光させる。光束１及び２の焦点を調整し合わせることで、焦点で干渉縞を作成した。書き込み試料は、図に示すように、コンピュータ３１６でコントロールされたピエゾステージ３１５で位置制御されたカバーグラス基板３１４上に紫外線硬化樹脂３１２をコーティングしたものを用いた。この紫外線硬化樹脂３１２は、スリーボンド社製３０４２Ｂを用い、これをスピンコートにより成膜した。
【００４８】
書き込みのシーケンスについて述べると、各露光を１秒間で１／３波長ずつ位相をずらし、各点について合計３回露光した。その後、ピエゾステージ３１５で試料の露光位置を４０μmずつ移動して、縦５０点×横５０点の合計２，５００点でアレイを構成した。露光後、アセトンで洗浄を行い、重合した樹脂と空気層からなる干渉色を発する構造体を得た。構造色は目視の結果、緑色であった。
【００４９】
なお、本実施例で形成された構造体の構成はプリンティングシステム等、広く画像・情報記録システムに応用可能であり、本実施例はその構成を制限するものではない。
【００５０】
また、上述する実施形態は、本発明の好適な実施形態であり、上記実施形態のみに本発明の範囲を限定するものではなく、本発明の要旨を逸脱しない範囲において種々の変更を施した形態での実施が可能である。
【００５１】
上記の実施形態によれば、１つの光源から発光したコヒーレント光を２光束に分割し、この２光束間の少なくとも一方の位相をずらしてこれら２光束を重畳させて形成した干渉光を光反応性樹脂に照射し、この照射光の干渉により生じる干渉縞によって、該光反応性樹脂が干渉光の光強度分布に基づいて硬化した特定の縞状構造体を形成することができる。
【００５２】
また、上記の実施形態によれば、この縞状構造体により、特定の縞状構造体で反射した反射光により発生した構造色を有する情報記録体は、光源を２つの光束に分け、２つの光束の位相を変えた多重露光の干渉縞により、反応した部位の間隔が、光源波長とは独立に設定した反応物であるので、光源波長と異なる周期の構造を提供することが可能になる。
【００５３】
また、上記の実施形態によれば、構造色による発色は、色素に比較して耐候性があり、かつ、位相を変え多露光により連続した色調が得られるため、顔料に比較して表現性に富む色表現が可能になる。また、反応光の光学系の分解能まで画素の微細化が可能となる。
【図面の簡単な説明】
【００５４】
【図１】本発明の実施形態における２光束による干渉波形を示した図である。
【図２】本発明の実施形態における多光子吸収反応で起こる光反応による干渉波の結果を示した図である。
【図３】本発明の実施形態における構造色記録システムの例を示す構成図である。
【符号の説明】
【００５５】
３０１    チタンサファイアレーザ
３０２    電子制御シャッタ
３０３    コントローラ電源
３０４，３０６    凸レンズ
３０５    ピンホール
３０７    ビームスプリッタ
３０８，３１８    プリズム
３０９，３１０，３１７    全反射ミラー
３１１，３１３    対物レンズ
３１２    紫外線硬化樹脂層
３１４    カバーガラス
３１５，３２０    ピエゾステージ
３１６    コンピュータ
３１９    ホルダ
【図１】
2008096648.tif 000003
【図２】
2008096648.tif 000004
【図３】
2008096648.tif 000005